(57)【要約】本発明は、端末デバイスにおいてＳＳＩＤを正常に表示する蓋然率を増大させるための、無線ＬＡＮにおけるＳＳＩＤの配信方法、装置、プログラム及び記録媒体に関するものである。前記方法は、プリセットの複数種類のシステムのプラットフォームの文字符号化方式に従って、設定したＳＳＩＤを符号化して、前記複数種類のシステムのプラットフォームに適用するＳＳＩＤコードを生成し、無線ＬＡＮにおいて、生成された前記複数種類のシステムのプラットフォームに適用するＳＳＩＤコードをブロードキャストすることを含む。本発明は、端末デバイスが受信されたＳＳＩＤコードにおいてローカルデバイスが正常表示可能なＳＳＩＤコードを有する蓋然率を増大でき、端末デバイスにおいて正常のＳＳＩＤを表示する蓋然率を増大できる。【選択図】図１
2017504278.tif 000002
【特許請求の範囲】
【請求項１】
無線ＬＡＮにおけるＳＳＩＤの配信方法であって、
プリセットの複数種類のシステムのプラットフォームの文字符号化方式に従って、設定したＳＳＩＤを符号化して、前記複数種類のシステムのプラットフォームに適用するＳＳＩＤコードを生成し、
無線ＬＡＮにおいて、生成された前記複数種類のシステムのプラットフォームに適用するＳＳＩＤコードをブロードキャストすることを含むことを特徴する無線ＬＡＮにおけるＳＳＩＤの配信方法。
【請求項２】
前記プリセットの複数種類のシステムのプラットフォームの文字符号化方式に従って、設定したＳＳＩＤを符号化する前に、
設定したＳＳＩＤにおいて中文文字が含まれているかを判断することを更に含み、
前記プリセットの複数種類のシステムのプラットフォームの文字符号化方式に従って、設定したＳＳＩＤを符号化することは、
設定したＳＳＩＤにおいて中文文字が含まれている場合、プリセットの複数種類のシステムのプラットフォームの文字符号化方式に従って、前記ＳＳＩＤを符号化することを含むことを特徴する請求項１に記載の無線ＬＡＮにおけるＳＳＩＤの配信方法。
【請求項３】
生成されたＳＳＩＤコードが複数である場合、ＳＳＩＤコード毎に、プリセットの統計パラメータに基づいて、前記ＳＳＩＤコードを使用して無線ＬＡＮにアクセスするデバイスの統計を行い、
各ＳＳＩＤコードに対応する統計データを併合して、併合し得た統計データを、前記ＳＳＩＤに対応する統計データとすることを更に含むことを特徴する請求項１に記載の無線ＬＡＮにおけるＳＳＩＤの配信方法。
【請求項４】
前記プリセットの複数種類のシステムのプラットフォームは、Ｗｉｎｄｏｗｓシステムのプラットフォームと、汎用文字符号化方式を使用するシステムのプラットフォームを含む場合、前記プリセットの複数種類のシステムのプラットフォームの文字符号化方式に従って、設定したＳＳＩＤを符号化して、前記複数種類のシステムのプラットフォームに適用するＳＳＩＤコードを生成することは、
Ｗｉｎｄｏｗｓシステムのプラットフォームの文字符号化方式及び汎用文字符号化方式をそれぞれ使用して前記ＳＳＩＤを符号化して、Ｗｉｎｄｏｗｓシステムのプラットフォームに適用する第一のＳＳＩＤコード及び汎用文字符号化方式を使用するシステムのプラットフォームに適用する第二のＳＳＩＤコードを生成することを更に含むことを特徴する請求項１に記載の無線ＬＡＮにおけるＳＳＩＤの配信方法。
【請求項５】
前記プリセットの統計パラメータは、アクセスデバイスの数及び／或はデータ流量を含むことを特徴する請求項３に記載のＳＳＩＤの配信方法。
【請求項６】
前記無線ＬＡＮにおいて、生成された前記複数種類のシステムのプラットフォームに適用するＳＳＩＤコードをブロードキャストすることは、
無線ＬＡＮにおいて、前記ＳＳＩＤコード及び前記ＳＳＩＤコードに対応の文字符号化方式をブロードキャストすることで、ブロードキャストされた前記ＳＳＩＤコードに対応の文字符号化方式に基づいてローカル文字符号化方式に対応のＳＳＩＤコードを端末デバイスが選択して表示を行うことを含むことを特徴する請求項１に記載の無線ＬＡＮにおけるＳＳＩＤの配信方法。
【請求項７】
プリセットの複数種類のシステムのプラットフォームの文字符号化方式に従って、設定したＳＳＩＤを符号化して、前記複数種類のシステムのプラットフォームに適用するＳＳＩＤコードを生成する符号化モジュールと、
無線ＬＡＮにおいて、生成された前記複数種類のシステムのプラットフォームに適用するＳＳＩＤコードをブロードキャストするブロードキャストモジュールとを備えることを特徴する無線ＬＡＮにおけるＳＳＩＤの配信装置。
【請求項８】
前記符号化モジュールがプリセットの複数種類のシステムのプラットフォームの文字符号化方式に従って、設定したＳＳＩＤを符号化する前に、設定したＳＳＩＤにおいて中文文字が含まれているかを判断する判断モジュールを更に備え、
前記符号化モジュールは、
設定したＳＳＩＤにおいて中文文字が含まれている場合、プリセットの複数種類のシステムのプラットフォームの文字符号化方式に従って、前記ＳＳＩＤを符号化する第一の符号化サブモジュールを備えることを特徴する請求項７に記載の無線ＬＡＮにおけるＳＳＩＤの配信装置。
【請求項９】
生成されたＳＳＩＤコードが複数である場合、ＳＳＩＤコード毎に、プリセットの統計パラメータに基づいて前記ＳＳＩＤコードを使用して無線ＬＡＮにアクセスするデバイスに対して統計を行う統計モジュールと、
各ＳＳＩＤコードに対応する統計データを併合して、併合し得た統計データを前記ＳＳＩＤに対応する統計データとする併合モジュールとを更に備えることを特徴する請求項７に記載の無線ＬＡＮにおけるＳＳＩＤの配信装置。
【請求項１０】
前記プリセットの複数種類のシステムのプラットフォームがＷｉｎｄｏｗｓシステムのプラットフォーム及び汎用文字符号化方式を使用するシステムのプラットフォームを含む場合、前記符号化モジュールは、
Ｗｉｎｄｏｗｓシステムのプラットフォームの文字符号化方式及び汎用文字符号化方式をそれぞれ使用して前記ＳＳＩＤを符号化して、Ｗｉｎｄｏｗｓシステムのプラットフォームに適用する第一のＳＳＩＤコード、及び汎用文字符号化方式を使用するシステムのプラットフォームに適用する第二のＳＳＩＤコードを生成する第二の符号化サブモジュールを備えることを特徴する請求項７に記載の無線ＬＡＮにおけるＳＳＩＤの配信装置。
【請求項１１】
前記ブロードキャストモジュールは、
無線ＬＡＮにおいて、前記ＳＳＩＤコード及び前記ＳＳＩＤコードに対応の文字符号化方式をブロードキャストすることで、ブロードキャストされた前記ＳＳＩＤコードに対応の文字符号化方式に基づいてローカル文字符号化方式に対応のＳＳＩＤコードを端末デバイスが選択して表示を行うブロードキャストサブモジュールを備えることを特徴する請求項７に記載の無線ＬＡＮにおけるＳＳＩＤの配信装置。
【請求項１２】
プロセッサと、
プロセッサが実行可能なコマンドを記憶するメモリとを備え、
前記プロセッサは、
プリセットの複数種類のシステムのプラットフォームの文字符号化方式に従って、設定したＳＳＩＤを符号化して、前記複数種類のシステムのプラットフォームに適用するＳＳＩＤコードを生成し、
無線ＬＡＮにおいて、生成された前記複数種類のシステムのプラットフォームに適用するＳＳＩＤコードをブロードキャストするように構成されることを特徴とする無線ＬＡＮにおけるＳＳＩＤの配信装置。
【発明の詳細な説明】
【相互参照】
【０００１】
本願は、出願番号がＣＮ２０１４１０５７０７２０．１であり、出願日が２０１４年１０月２２日である中国特許出願に基づき提出し、該中国特許出願の優先権を主張する。ここで、該中国特許出願の全ての内容は、本願に組み込まれて参考とする。
【技術分野】
【０００２】
本発明は、通信技術分野に関するものであり、特に無線ＬＡＮ（Ｗｉｒｅｌｅｓｓ  Ｌｏｃａｌ  Ａｒｅａ  Ｎｅｔｗｏｒｋ）におけるＳＳＩＤ（サービスセット識別子）の配信方法及び装置に関するものである。
【背景技術】
【０００３】
ＳＳＩＤ（サービスセット識別子、Ｓｅｒｖｉｃｅ  Ｓｅｔ  Ｉｄｅｎｔｉｆｉｅｒ）技術は、一つの無線ＬＡＮを、異なる身分認証を必要とする複数のサブネットワークに分け、各サブネットワークには独立の身分認証が要求され、身分認証が確認できたユーザのみが、対応のサブネットワークにアクセスできるため、ネットワークの仮想的な隔離を実現でき、許可されていないユーザがネットワークに侵入することを防止することができる。関連技術においては、ネットワークにおいて、通信デバイスがＳＳＩＤをブロードキャストし、端末デバイスがＳＳＩＤを受信した後、該ＳＳＩＤをネットワーク名称としてネットワークリストにおいて表示を行う。現在、設定したＳＳＩＤの多くのはアルファベットや数字で組み合わせてなり、ユーザは、黙認の名称、例えば、Ｄ−Ｌｉｎｋ、Ｌｉｎｋｓｙｓ、ＤＤ−ＷＲＴをＳＳＩＤと使用慣れていることで、同一の区域において同じ名称のネットワークが増加している。従って、あるユーザが中文文字を使用してＳＳＩＤを設定する。これによって、同一の区域においてネットワークの名称重複の蓋然率を低下することができるが、端末デバイスにおいて中文文字が含まれたＳＳＩＤを表示する場合、表示されたＳＳＩＤが文字化けを有する現象が生じてしまう。
【発明の概要】
【０００４】
関連技術に存在の問題を克服するために、本発明の実施例は、端末デバイスにおいて正常のＳＳＩＤを表示する蓋然率を増大できる無線ＬＡＮにおけるＳＳＩＤの配信方法及び装置を提供した。
【０００５】
本発明の実施例の第一の局面によれば、無線ＬＡＮにおけるＳＳＩＤの配信方法を提供した。該方法は、
プリセットの複数種類のシステムのプラットフォームの文字符号化方式に従って、設定したＳＳＩＤを符号化して、前記複数種類のシステムのプラットフォームに適用するＳＳＩＤコードを生成し、
無線ＬＡＮにおいて、生成された前記複数種類のシステムのプラットフォームに適用するＳＳＩＤコードをブロードキャストすることを含む。
【０００６】
ある実施例において、前記プリセットの複数種類のシステムのプラットフォームの文字符号化方式に従って、設定したＳＳＩＤを符号化する前に、
設定したＳＳＩＤにおいて中文文字が含まれているかを判断することを更に含み、
前記プリセットの複数種類のシステムのプラットフォームの文字符号化方式に従って、設定したＳＳＩＤを符号化することは、
設定したＳＳＩＤにおいて中文文字が含まれている場合、プリセットの複数種類のシステムのプラットフォームの文字符号化方式に従って、前記ＳＳＩＤを符号化することを含む。
【０００７】
ある実施例において、前記方法は、
生成されたＳＳＩＤコードが複数である場合、ＳＳＩＤコード毎に、プリセットの統計パラメータに基づいて前記ＳＳＩＤコードを使用して無線ＬＡＮにアクセスするデバイスの統計を行い、
各ＳＳＩＤコードに対応する統計データを併合して、併合し得た統計データを前記ＳＳＩＤに対応する統計データとすることを更に含む。
【０００８】
ある実施例において、前記プリセットの複数種類のシステムのプラットフォームは、Ｗｉｎｄｏｗｓシステムのプラットフォームと、汎用文字符号化方式を使用するシステムのプラットフォームを含む場合、前記プリセットの複数種類のシステムのプラットフォームの文字符号化方式に従って、設定したＳＳＩＤを符号化して、前記複数種類のシステムのプラットフォームに適用するＳＳＩＤコードを生成することは、
Ｗｉｎｄｏｗｓシステムのプラットフォームの文字符号化方式及び汎用文字符号化方式をそれぞれ使用して前記ＳＳＩＤを符号化して、Ｗｉｎｄｏｗｓシステムのプラットフォームに適用する第一のＳＳＩＤコード及び汎用文字符号化方式を使用するシステムのプラットフォームに適用する第二のＳＳＩＤコードを生成することを更に含む。
【０００９】
ある実施例において、前記プリセットの統計パラメータは、アクセスデバイスの数及び／或はデータ流量を含む。
【００１０】
ある実施例において、前記無線ＬＡＮにおいて、生成された前記複数種類のシステムのプラットフォームに適用するＳＳＩＤコードをブロードキャストすることは、
無線ＬＡＮにおいて、端末デバイスがブロードキャストされた前記ＳＳＩＤコードに対応の文字符号化方式に基づいてローカル文字符号化方式に対応のＳＳＩＤコードを選択して表示を行うように、前記ＳＳＩＤコード及び前記ＳＳＩＤコードに対応の文字符号化方式をブロードキャストすることを含む。
【００１１】
本発明の実施例の第二の局面によれば、無線ＬＡＮにおけるＳＳＩＤの配信装置を提供した。該装置は、
プリセットの複数種類のシステムのプラットフォームの文字符号化方式に従って、設定したＳＳＩＤを符号化して、前記複数種類のシステムのプラットフォームに適用するＳＳＩＤコードを生成する符号化モジュールと、
無線ＬＡＮにおいて、生成された前記複数種類のシステムのプラットフォームに適用するＳＳＩＤコードをブロードキャストするブロードキャストモジュールとを備える。
【００１２】
ある実施例において、該装置は、
前記符号化モジュールがプリセットの複数種類のシステムのプラットフォームの文字符号化方式に従って、設定したＳＳＩＤを符号化する前に、設定したＳＳＩＤにおいて中文文字が含まれているかを判断する判断モジュールを更に備え、
前記符号化モジュールは、
設定したＳＳＩＤにおいて中文文字が含まれている場合、プリセットの複数種類のシステムのプラットフォームの文字符号化方式に従って、前記ＳＳＩＤを符号化する第一の符号化サブモジュールを備える。
【００１３】
ある実施例において、該装置は、
生成されたＳＳＩＤコードが複数である場合、ＳＳＩＤコード毎に、プリセットの統計パラメータに基づいて前記ＳＳＩＤコードを使用して無線ＬＡＮにアクセスするデバイスに対して統計を行う統計モジュールと、
各ＳＳＩＤコードに対応する統計データを併合して、併合し得た統計データを前記ＳＳＩＤに対応する統計データとする併合モジュールとを更に備える。
【００１４】
ある実施例において、前記プリセットの複数種類のシステムのプラットフォームがＷｉｎｄｏｗｓシステムのプラットフォーム及び汎用文字符号化方式を使用するシステムのプラットフォームを含む場合、前記符号化モジュールは、
Ｗｉｎｄｏｗｓシステムのプラットフォームの文字符号化方式及び汎用文字符号化方式をそれぞれ使用して前記ＳＳＩＤを符号化して、Ｗｉｎｄｏｗｓシステムのプラットフォームに適用する第一のＳＳＩＤコード、及び汎用文字符号化方式を使用するシステムのプラットフォームに適用する第二のＳＳＩＤコードを生成する第二の符号化サブモジュールを備える。
【００１５】
ある実施例において、前記ブロードキャストモジュールは、
無線ＬＡＮにおいて、ブロードキャストされた前記ＳＳＩＤコードに対応の文字符号化方式に基づいてローカル文字符号化方式に対応のＳＳＩＤコードを端末デバイスが選択して表示を行うように、前記ＳＳＩＤコード及び前記ＳＳＩＤコードに対応の文字符号化方式をブロードキャストするブロードキャストサブモジュールを備える。
【００１６】
本発明の実施例の第三の局面によれば、無線ＬＡＮにおけるＳＳＩＤの配信装置を提供した。該装置は、プロセッサと、プロセッサが実行可能なコマンドを記憶するメモリとを備え、
前記プロセッサは、
プリセットの複数種類のシステムのプラットフォームの文字符号化方式に従って、設定したＳＳＩＤを符号化して、前記複数種類のシステムのプラットフォームに適用するＳＳＩＤコードを生成し、
無線ＬＡＮにおいて、生成された前記複数種類のシステムのプラットフォームに適用するＳＳＩＤコードをブロードキャストするように構成される。
【００１７】
本発明の実施例が提供した技術案は、以下の有益効果を奏する。即ち、プリセットの複数種類のシステムのプラットフォームの文字符号化方式に従って、設定したＳＳＩＤを符号化して、無線ＬＡＮにおいて、生成されたＳＳＩＤコードをブロードキャストすることによって、端末デバイスが受信されたＳＳＩＤコードにおいてローカルデバイスが正常表示可能なＳＳＩＤコードを有する蓋然率を増大させるすることができ、端末デバイスにおいて正常のＳＳＩＤを表示する蓋然率を増大できる。
【００１８】
上記の説明および後述の詳細な説明は、単なる例示のみであり、本発明を限定するものではないことを理解すべきである。
【図面の簡単な説明】
【００１９】
ここでの図面は明細書に組み込まれて明細書の一部を構成し、本発明に適合する実施例を示し、明細書と共に本発明の原理の解釈に用いられる。
【００２０】
【図１】例示的な実施例で示す、無線ＬＡＮにおけるＳＳＩＤの配信方法のフローチャートである。
【００２１】
【図２】例示的な実施例で示す、その他の無線ＬＡＮにおけるＳＳＩＤの配信方法のフローチャートである。
【００２２】
【図３】例示的な実施例で示す、その他の無線ＬＡＮにおけるＳＳＩＤの配信方法のフローチャートである。
【００２３】
【図４】例示的な実施例で示す、無線ＬＡＮにおけるＳＳＩＤの配信方法のフローチャートである。
【００２４】
【図５】例示的な実施例で示す、無線ＬＡＮにおけるＳＳＩＤの配信装置のブロック図である。
【００２５】
【図６】例示的な実施例で示す、その他の無線ＬＡＮにおけるＳＳＩＤの配信装置のブロック図である。
【００２６】
【図７】例示的な実施例で示す、その他の無線ＬＡＮにおけるＳＳＩＤの配信装置のブロック図である。
【発明を実施するための形態】
【００２７】
ここで、図面に示された例示的な実施例を詳細に説明する。以下の記載において、図面を言及するとき、特に説明しない限り、異なる図面における同じ番号が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の局面と一致する装置及び方法の例にすぎない。
【００２８】
図１は、例示的な実施例で示す、無線ＬＡＮにおけるＳＳＩＤの配信方法のフローチャートである。図１に示すように、該無線ＬＡＮにおけるＳＳＩＤの配信方法は、例えば、ルータ、無線アクセスポイント及び無線制御器のような通信デバイスに応用され、以下のステップＳ１０１−Ｓ１０２を含む。
【００２９】
ステップＳ１０１において、プリセットの複数種類のシステムのプラットフォームの文字符号化方式に従って、設定したＳＳＩＤを符号化（エンコード）して、複数種類のシステムのプラットフォームに適用するＳＳＩＤコードを生成する。
【００３０】
ステップＳ１０２において、無線ＬＡＮにおいて、生成された、複数種類のシステムのプラットフォームに適用するＳＳＩＤコードをブロードキャストする。
【００３１】
ある実施例において、プリセットの複数種類のシステムのプラットフォームがＷｉｎｄｏｗｓシステムのプラットフォーム及び汎用文字符号化方式を使用するシステムのプラットフォームを含む。例えば、マイクロソフト社が生産した端末デバイスにおいて、Ｗｉｎｄｏｗｓシステムのプラットフォームの文字符号化方式を使用し、その他のアンドロイド（Ａｎｄｒｏｉｄ）システムのプラットフォーム及びアップルシステムのプラットフォームにおいて汎用文字符号化方式を使用している。
【００３２】
上述のステップＳ１０１は、Ｗｉｎｄｏｗｓシステムのプラットフォームの文字符号化方式及び汎用文字符号化方式をそれぞれ使用してＳＳＩＤを符号化して、第一のＳＳＩＤコード及び第二のＳＳＩＤコードを生成する。第一のＳＳＩＤコードがＷｉｎｄｏｗｓシステムのプラットフォームに適用するが、第二のＳＳＩＤコードが汎用文字符号化方式を使用するシステムのプラットフォームに適用する。即ち、第二のＳＳＩＤコードは、アップルシステムのプラットフォーム及びアンドロイドシステムのプラットフォームに適用する。
【００３３】
上述ステップＳ１０２において、無線ＬＡＮにおいて第一のＳＳＩＤコード及び第二のＳＳＩＤコードをブロードキャストする。端末デバイスは、第一のＳＳＩＤコード及び第二のＳＳＩＤコードを受信した後に表示を行う。端末デバイスがＷｉｎｄｏｗｓシステムのプラットフォームを使用するデバイスである場合、第一のＳＳＩＤコードを正常に表示できるが、端末デバイスがアップルシステムのプラットフォーム或はアンドロイドシステムのプラットフォームを使用するデバイスである場合、第二のＳＳＩＤコードを正常に表示できる。このように、端末デバイスにおいて常にＳＳＩＤを正常に表示できる。
【００３４】
ある実施例において、ステップＳ１０２は、無線ＬＡＮにおいて、ブロードキャストされたＳＳＩＤコードに対応の文字符号化方式に基づいてローカル文字符号化方式に対応のＳＳＩＤコードを端末デバイスが選択して表示を行うように、生成されたＳＳＩＤコード及び該ＳＳＩＤコードに対応の文字符号化方式をブロードキャストする。
【００３５】
例を挙げて説明する。ステップＳ１０１において、Ｗｉｎｄｏｗｓシステムのプラットフォームの文字符号化方式及び汎用文字符号化方式コードＳＳＩＤをそれぞれ使用して、第一のＳＳＩＤコード及び第二のＳＳＩＤコードを生成する。第一のＳＳＩＤコードが、Ｗｉｎｄｏｗｓシステムのプラットフォームに適用し、第二のＳＳＩＤコードが、汎用文字符号化方式を使用するシステムのプラットフォームに適用する。
【００３６】
ステップＳ１０２において、第一のＳＳＩＤコード及び対応のＷｉｎｄｏｗｓシステムのプラットフォームの文字符号化方式と、第二のＳＳＩＤコード及び対応の汎用文字符号化方式とをブロードキャストする。例えば、実現の時、ＳＳＩＤコードをブロードキャストするメッセージにおいて区域を増加して、増加の区域においてＳＳＩＤコードに対応の文字符号化方式を追加しても良い。
【００３７】
このように、端末デバイスがＳＳＩＤコードに対応の文字符号化方式を受信した後、ブロードキャストされた文字符号化方式に基づいて、ローカル文字符号化方式に対応のＳＳＩＤコードを選択して表示を行うことができる。例えば、端末デバイスがアンドロイドシステムのプラットフォームを使用する場合、端末デバイスは、汎用文字符号化方式に対応の第二のＳＳＩＤコードを選択して表示を行い、第一のＳＳＩＤコードを表示しないため、端末において文字化けを有するＳＳＩＤの表示を回避できる。
【００３８】
本実施例が提供した技術案は、以下の有益効果を奏する。即ち、プリセットの複数種類のシステムのプラットフォームの文字符号化方式に従って、設定したＳＳＩＤを符号化して、無線ＬＡＮにおいて、生成されたＳＳＩＤコードをブロードキャストすることによって、端末デバイスが受信したＳＳＩＤコードにおいてローカルデバイスが正常に表示可能なＳＳＩＤコードを有する蓋然率を増大させることによって、端末デバイスにおいて正常のＳＳＩＤを表示する蓋然率を増大できる。
【００３９】
図２は、例示的な実施例で示す、その他の無線ＬＡＮにおけるＳＳＩＤの配信方法のフローチャートである。図２に示すように、該無線ＬＡＮにおけるＳＳＩＤの配信方法は、例えば、ルータ、無線アクセスポイント及び無線制御器のよな通信デバイスに応用でき、以下のステップＳ２０１−Ｓ２０３を含む。
【００４０】
ステップＳ２０１において、設定したＳＳＩＤにおいて中文文字が含まれているかを判断する。
【００４１】
ステップＳ２０２において、設定したＳＳＩＤにおいて中文文字が含まれている場合、プリセットの複数種類のシステムのプラットフォームの文字符号化方式に従ってＳＳＩＤを符号化して、複数種類のシステムのプラットフォームに適用するＳＳＩＤコードを生成する。
【００４２】
ステップＳ２０３においては、無線ＬＡＮにおいて、生成された、複数種類のシステムのプラットフォームに適用するＳＳＩＤコードをブロードキャストする。
【００４３】
ステップＳ２０２及びステップＳ２０３の示例性の説明については、上述ステップＳ１０１及びステップＳ１０２における説明を参照すれば良いので、ここでその説明を省略した。
【００４４】
本実施例が提供した技術案は、以下の有益効果を奏する。大多数の場合、端末デバイスにおいてＳＳＩＤを表示する時に文字化けの発生の原因は、ＳＳＩＤにおいて中文文字が含まれていることである。本実施例において、設定したＳＳＩＤにおいて中文文字が含まれたことを判断した場合、プリセットの複数種類のシステムのプラットフォームの文字符号化方式に従って、設定したＳＳＩＤを符号化して、無線ＬＡＮにおいて生成されたＳＳＩＤコードをブロードキャストする。これによって、端末デバイスにおいて正常にＳＳＩＤを表示する蓋然率を増大することができると共に、ＳＳＩＤにおいて中文文字が含まれていない場合、複数ＳＳＩＤコードのブロードキャストを回避でき、ネットワークリソースも節約できる。
【００４５】
図３は、例示的な実施例で示す、その他の無線ＬＡＮにおけるＳＳＩＤの配信方法のフローチャートである。図３に示すように、該無線ＬＡＮにおけるＳＳＩＤの配信方法は、例えばルータ、無線アクセスポイント及び無線制御器のような通信デバイスに用いされ、以下のステップＳ３０１−Ｓ３０４を含む。
【００４６】
ステップＳ３０１において、プリセットの複数種類のシステムのプラットフォームの文字符号化方式に従って、設定したＳＳＩＤを符号化して、複数種類のシステムのプラットフォームに適用するＳＳＩＤコードを生成する。
【００４７】
ステップＳ３０２においては、無線ＬＡＮにおいて、生成された、複数種類のシステムのプラットフォームに適用するＳＳＩＤコードをブロードキャストする。
【００４８】
ステップＳ３０１及びステップＳ３０２の示例性の説明については、上述ステップＳ１０１及びステップＳ１０２における説明を参照すれば良いので、ここでその説明を省略した。
【００４９】
ステップＳ３０３において、生成されたＳＳＩＤコードが複数である場合、ＳＳＩＤコード毎に、プリセットの統計パラメータに基づいて該ＳＳＩＤコードを使用して無線ＬＡＮにアクセスするデバイスに対して統計を行う。
【００５０】
ここで、プリセットの統計パラメータは、アクセスデバイスの数及びデータ流量を含む。
【００５１】
ステップＳ３０４において、各ＳＳＩＤコードに対応する統計データを併合して、併合し得た統計データをＳＳＩＤに対応の統計データとする。
【００５２】
例を挙げて説明する。ステップＳ３０１において、Ｗｉｎｄｏｗｓシステムのプラットフォームの文字符号化方式及び汎用文字符号化方式コードＳＳＩＤをそれぞれ使用して、第一のＳＳＩＤコード及び第二のＳＳＩＤコードを生成する。ここで、第一のＳＳＩＤコードがＷｉｎｄｏｗｓシステムのプラットフォームに適用するが、第二のＳＳＩＤコードが汎用文字符号化方式を使用するシステムのプラットフォームに適用する。ステップＳ３０３において、第一のＳＳＩＤコード及び第二のＳＳＩＤコードを使用して無線ＬＡＮにアクセスするデバイスの数及びデータ流量をそれぞれ統計する。ステップＳ３０４において、第一のＳＳＩＤコード及び第二のＳＳＩＤコードに対応のデバイスの数を併合して、第一のＳＳＩＤコード及び第二のＳＳＩＤコードに対応のデータ流量を併合する。ステップＳ３０４において、併合後のデバイスの数をＳＳＩＤに対応のネットワークにアクセスするデバイスの数とし、併合後のデータ流量をＳＳＩＤに対応のデータ流量とする。
【００５３】
本実施例が提供した技術案は、以下の有益効果を奏する。各ＳＳＩＤコードに対してそれぞれ統計し、統計データを併合することによって、ＳＳＩＤに対応のサブネットワークにおける統計データを正確的に獲得でき、後継操作において統計データを用いてサブネットワークを制御するのに便利となる。
【００５４】
図４は、例示的な実施例で示す、無線ＬＡＮにおけるＳＳＩＤの配信方法のフローチャートである。実施例において、その方法は、以下のシーンに応用される。即ち、ルータが無線ＬＡＮにおいてユーザによって設定したＳＳＩＤをブロードキャストし、ＳＳＩＤが「我的ＷＩＦＩ」であり、中文文字が含まれており、プリセットの複数種類のシステムのプラットフォームは、Ｗｉｎｄｏｗｓシステムのプラットフォーム及び汎用文字符号化方式を使用するシステムのプラットフォームを含み、統計パラメータをデータ流量とプリセットする。図４に示すように、実施例における方法は、以下のステップを含む。
【００５５】
ステップＳ４０１において、設定したＳＳＩＤにおいて中文文字が含まれているかを判断する。
【００５６】
例えば、ＳＳＩＤ「我的ＷＩＦＩ」において中文文字が含まれていることを判断した。
【００５７】
ステップＳ４０２において、設定したＳＳＩＤにおいて中文文字が含まれている場合、Ｗｉｎｄｏｗｓシステムのプラットフォームの文字符号化方式及び汎用文字符号化方式をそれぞれ使用してＳＳＩＤを符号化して、第一のＳＳＩＤコード及び第二のＳＳＩＤコードを生成する。
【００５８】
ここで、第一のＳＳＩＤコードがＷｉｎｄｏｗｓシステムのプラットフォームに適用するが、第二のＳＳＩＤコードが汎用文字符号化方式を使用するシステムのプラットフォームに適用する。
【００５９】
ステップＳ４０３においては、無線ＬＡＮにおいて、生成された第一のＳＳＩＤコード及び対応のＷｉｎｄｏｗｓシステムのプラットフォームの文字符号化方式と、第二のＳＳＩＤコード及び対応の汎用文字符号化方式をブロードキャストする。
【００６０】
このように、端末デバイスＡは、Ｗｉｎｄｏｗｓシステムのプラットフォームを使用し、第一のＳＳＩＤコード及び第二のＳＳＩＤコードを受信し、使用された文字符号化方式がローカルデバイスの使用する文字符号化方式と同じである第一のＳＳＩＤコードを選択して表示を行う。端末デバイスＡにおいて表示される第一のＳＳＩＤコードが正常で文字化けはない。端末デバイスＢは、アンドロイドシステムのプラットフォームを使用し、第一のＳＳＩＤコード及び第二のＳＳＩＤコードを受信し、使用された文字符号化方式がローカルデバイスの使用する文字符号化方式と同じである第二のＳＳＩＤコードを選択して表示を行う。端末デバイスＢにおいて表示される第二のＳＳＩＤコードが正常で文字化けはない。
【００６１】
ステップＳ４０４において、第一のＳＳＩＤコード及び第二のＳＳＩＤコードを使用して無線ＬＡＮにアクセスするデバイスのデータ流量をそれぞれ統計する。
【００６２】
ステップＳ４０５において、第一のＳＳＩＤコード及び第二のＳＳＩＤコードに対応のデータ流量を併合し、併合し得たデータ流量をＳＳＩＤに対応のデータ流量とする。
【００６３】
例えば、端末デバイスＡは、第一のＳＳＩＤコードを使用して無線ＬＡＮにアクセスし、端末デバイスＢは、第二のＳＳＩＤコードを使用して無線ＬＡＮから受信する。端末デバイスＡのデータ流量に対して統計を行い、端末デバイスＢのデータ流量に対して統計を行い、端末デバイスＡ及び端末デバイスＢのデータ流量を併合して、併合後のデータ流量をＳＳＩＤに対応のデータ流量とする。
【００６４】
本実施例が提供した技術案は、以下の有益効果を奏する。即ち、プリセットの複数種類のシステムのプラットフォームの文字符号化方式に従って、設定したＳＳＩＤを符号化して、無線ＬＡＮにおいて、生成されたＳＳＩＤコードをブロードキャストすることにより、端末デバイスが受信したＳＳＩＤコードにおいてローカルデバイスが正常に表示できるＳＳＩＤコードを有する蓋然率を増大できる。これによって、端末デバイスにおいて正常のＳＳＩＤを表示する蓋然率を増大できる。各ＳＳＩＤコードに対してそれぞれ統計を行い、統計データを併合することにより、ＳＳＩＤに対応のサブネットワークにおける統計データを正確的に獲得でき、後継操作において統計データを用いてサブネットワークを制御するのに便利となる。
【００６５】
図５は、例示的な実施例で示す、無線ＬＡＮにおけるＳＳＩＤの配信装置のブロック図である。図５に示すように、該無線ＬＡＮにおけるＳＳＩＤの配信装置は、例えばルータ、無線アクセスポイント及び無線制御器のような通信デバイスに応用され、符号化モジュール５１と、ブロードキャストモジュール５２とを備える。
【００６６】
符号化モジュール５１は、プリセットの複数種類のシステムのプラットフォームの文字符号化方式に従って、設定したＳＳＩＤを符号化して、複数種類のシステムのプラットフォームに適用するＳＳＩＤコードを生成する。
【００６７】
ブロードキャストモジュール５２は、無線ＬＡＮにおいて、生成された、複数種類のシステムのプラットフォームに適用するＳＳＩＤコードをブロードキャストする。
【００６８】
ある実施例において、図６に示すように、該装置は、
符号化モジュール５１がプリセットの複数種類のシステムのプラットフォームの文字符号化方式に従って、設定したＳＳＩＤを符号化する前、設定したＳＳＩＤにおいて中文文字が含まれているかを判断する判断モジュール６１を更に備えても良い。
【００６９】
符号化モジュール５１は、
設定したＳＳＩＤにおいて中文文字が含まれている場合、プリセットの複数種類のシステムのプラットフォームの文字符号化方式に従って、ＳＳＩＤを符号化する第一の符号化サブモジュール６２を備えても良い。
【００７０】
実施例において、図７に示すように、装置は、
生成されたＳＳＩＤコードが複数である場合、ＳＳＩＤコード毎に、プリセットの統計パラメータに基づいて、ＳＳＩＤコードを使用して無線ＬＡＮにアクセスするデバイスに対して統計を行う統計モジュール７１と、
各ＳＳＩＤコードに対応する統計データを併合し、併合し得た統計データをＳＳＩＤに対応の統計データとする併合モジュール７２とを更に備えても良い。
【００７１】
ある実施例において、プリセットの複数種類のシステムのプラットフォームは、Ｗｉｎｄｏｗｓシステムのプラットフォーム及び汎用文字符号化方式を使用するシステムのプラットフォームを含む場合、符号化モジュールは、
Ｗｉｎｄｏｗｓシステムのプラットフォームの文字符号化方式及び汎用文字符号化方式をそれぞれ使用してＳＳＩＤを符号化して、第一のＳＳＩＤコード及び第二のＳＳＩＤコードを生成する第二の符号化サブモジュールを備えて良い。
【００７２】
ここで、第一のＳＳＩＤコードがＷｉｎｄｏｗｓシステムのプラットフォームに適用し、第二のＳＳＩＤコードが汎用文字符号化方式を使用するシステムのプラットフォームに適用する。
【００７３】
ある実施例において、プリセットの統計パラメータは、アクセスデバイスの数及び／或はデータ流量を含む。
【００７４】
ある実施例において、ブロードキャストモジュールは、
無線ＬＡＮにおいて、ＳＳＩＤコード及びＳＳＩＤコードに対応の文字符号化方式をブロードキャストすることで、端末デバイスがブロードキャストされたＳＳＩＤコードに対応の文字符号化方式に基づいて、ローカル文字符号化方式に対応のＳＳＩＤコードを選択して表示を行う、ブロードキャストサブモジュールを備えて良い。
【００７５】
本発明の実施例が提供した技術案は、以下の有益効果を奏する。即ち、プリセットの複数種類のシステムのプラットフォームの文字符号化方式に従って、設定したＳＳＩＤを符号化して、無線ＬＡＮにおいて、生成されたＳＳＩＤコードをブロードキャストすることによって、端末デバイスが受信したＳＳＩＤコードにおいてローカルデバイスが正常に表示できるＳＳＩＤコードを有する蓋然率を増大できる。これによって、端末デバイスにおいて正常のＳＳＩＤを表示する蓋然率を増大できる。
【００７６】
上述実施例における装置について、各モジュールの操作実行の具体方式が該方法の実施例において詳細に描写したので、ここで、詳細な記載を説明しない。
【００７７】
無線ＬＡＮにおけるＳＳＩＤの配信装置は、プロセッサと、プロセッサが実行可能なコマンドを記憶するメモリとを備え、プロセッサは、プリセットの複数種類のシステムのプラットフォームの文字符号化方式に従って、設定したＳＳＩＤを符号化して、複数種類のシステムのプラットフォームに適用するＳＳＩＤコードを生成し、無線ＬＡＮにおいて、生成された前記複数種類のシステムのプラットフォームに適用するＳＳＩＤコードをブロードキャストする。
【００７８】
該プロセッサは、プリセットの複数種類のシステムのプラットフォームの文字符号化方式に従って、設定したＳＳＩＤを符号化する前、設定したＳＳＩＤにおいて中文文字が含まれているかを判断し、設定したＳＳＩＤにおいて中文文字が含まれている場合、プリセットの複数種類のシステムのプラットフォームの文字符号化方式に従って、前記ＳＳＩＤを符号化するように構成される。
【００７９】
該プロセッサは、生成されたＳＳＩＤコードが複数である場合、ＳＳＩＤコード毎に、プリセットの統計パラメータに基づいて前記ＳＳＩＤコードを使用して無線ＬＡＮにアクセスするデバイスの統計を行い、各ＳＳＩＤコードに対応する統計データを併合して、併合し得た統計データを前記ＳＳＩＤに対応する統計データとするように構成される。
【００８０】
該プロセッサは、プリセットの複数種類のシステムのプラットフォームがＷｉｎｄｏｗｓシステムのプラットフォーム及び汎用文字符号化方式を使用するシステムのプラットフォームを含む場合、Ｗｉｎｄｏｗｓシステムのプラットフォームの文字符号化方式及び汎用文字符号化方式をそれぞれ使用して前記ＳＳＩＤを符号化して、第一のＳＳＩＤコード及び第二のＳＳＩＤコードを生成し、前記第一のＳＳＩＤコードがＷｉｎｄｏｗｓシステムのプラットフォームに適用し、前記第二のＳＳＩＤコードが汎用文字符号化方式を使用するシステムのプラットフォームに適用するように構成される。
【００８１】
該プロセッサは、無線ＬＡＮにおいて、端末デバイスがブロードキャストされた前記ＳＳＩＤコードに対応の文字符号化方式に基づいてローカル文字符号化方式に対応のＳＳＩＤコードを選択して表示を行うように、前記ＳＳＩＤコード及び前記ＳＳＩＤコードに対応の文字符号化方式をブロードキャストする。
【００８２】
非揮発的なコンピュータで読み取り可能な記憶媒体について、前記記憶媒体におけるコマンドがルータのプロセッサによって実行される場合、ルータに無線ＬＡＮにおけるＳＳＩＤの配信方法を実行できるようにする。前記方法は、
プリセットの複数種類のシステムのプラットフォームの文字符号化方式に従って、設定したＳＳＩＤを符号化して、前記複数種類のシステムのプラットフォームに適用するＳＳＩＤコードを生成し、
無線ＬＡＮにおいて、生成された前記複数種類のシステムのプラットフォームに適用するＳＳＩＤコードをブロードキャストすることを含む。
【００８３】
前記方法は、前記プリセットの複数種類のシステムのプラットフォームの文字符号化方式に従って、設定したＳＳＩＤを符号化する前に、設定したＳＳＩＤにおいて中文文字が含まれているかを判断することをさらに含み、
前記プリセットの複数種類のシステムのプラットフォームの文字符号化方式に従って、設定したＳＳＩＤを符号化することは、
設定したＳＳＩＤにおいて中文文字が含まれている場合、プリセットの複数種類のシステムのプラットフォームの文字符号化方式に従って、前記ＳＳＩＤを符号化することを含む。
【００８４】
前記方法は、生成されたＳＳＩＤコードが複数である場合、ＳＳＩＤコード毎に、プリセットの統計パラメータに基づいて、前記ＳＳＩＤコードを使用して無線ＬＡＮにアクセスするデバイスに対して統計を行い、
各ＳＳＩＤコードに対応するの統計データを併合して、併合し得た統計データを前記ＳＳＩＤに対応する統計データとすることを含む。
【００８５】
前記プリセットの複数種類のシステムのプラットフォームは、Ｗｉｎｄｏｗｓシステムのプラットフォーム及び汎用文字符号化方式を使用するシステムのプラットフォームを含む。
【００８６】
前記プリセットの複数種類のシステムのプラットフォームの文字符号化方式に従って、設定したＳＳＩＤを符号化して、前記複数種類のシステムのプラットフォームに適用するＳＳＩＤコードを生成することは、
Ｗｉｎｄｏｗｓシステムのプラットフォームの文字符号化方式及び汎用文字符号化方式をそれぞれ使用して前記ＳＳＩＤを符号化して、第一のＳＳＩＤコード及び第二のＳＳＩＤコードを生成することを含み、
ここで、前記第一のＳＳＩＤコードがＷｉｎｄｏｗｓシステムのプラットフォームに適用し、前記第二のＳＳＩＤコードが汎用文字符号化方式を使用するシステムのプラットフォームに適用する。
【００８７】
前記プリセットの統計パラメータは、アクセスデバイスの数及び／或はデータ流量を含んで良い。
【００８８】
前記無線ＬＡＮにおいて、生成された前記複数種類のシステムのプラットフォームに適用するＳＳＩＤコードをブロードキャストすることは、
無線ＬＡＮにおいて、前記ＳＳＩＤコード及び前記ＳＳＩＤコードに対応の文字符号化方式をブロードキャストすることで、端末デバイスがブロードキャストされた前記ＳＳＩＤコードに対応の文字符号化方式に基づいてローカル文字符号化方式に対応のＳＳＩＤコードを選択して表示を行うことを含む。
【００８９】
当業者は、本明細書に開示された発明の詳細を考慮し、実施することにより、本発明の他の実施案を容易に想到できる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【００９０】
本発明は、上記において開示された構成又は図面に示した構造に限定されるものではなく、本発明の範囲内であれば、様々な補正又は変更を行うことができると理解すべきである。本発明の範囲は、特許請求の範囲により制限される。
【図１】
2017504278.tif 000003
【図２】
2017504278.tif 000004
【図３】
2017504278.tif 000005
【図４】
2017504278.tif 000006
【図５】
2017504278.tif 000007
【図６】
2017504278.tif 000008
【図７】
2017504278.tif 000009
【手続補正書】
【提出日】平成27年5月21日(2015.5.21)
【手続補正１】
【補正対象書類名】明細書
【補正対象項目名】全文
【補正方法】変更
【補正の内容】
【発明の詳細な説明】
【相互参照】
【０００１】
本願は、出願番号がＣＮ２０１４１０５７０７２０．１であり、出願日が２０１４年１０月２２日である中国特許出願に基づき提出し、該中国特許出願の優先権を主張する。ここで、該中国特許出願の全ての内容は、本願に組み込まれて参考とする。
【技術分野】
【０００２】
本発明は、通信技術分野に関するものであり、特に無線ＬＡＮ（Ｗｉｒｅｌｅｓｓ  Ｌｏｃａｌ  Ａｒｅａ  Ｎｅｔｗｏｒｋ）におけるＳＳＩＤ（サービスセット識別子）の配信方法、装置、プログラム及び記録媒体に関するものである。
【背景技術】
【０００３】
ＳＳＩＤ（サービスセット識別子、Ｓｅｒｖｉｃｅ  Ｓｅｔ  Ｉｄｅｎｔｉｆｉｅｒ）技術は、一つの無線ＬＡＮを、異なる身分認証を必要とする複数のサブネットワークに分け、各サブネットワークには独立の身分認証が要求され、身分認証が確認できたユーザのみが、対応のサブネットワークにアクセスできるため、ネットワークの仮想的な隔離を実現でき、許可されていないユーザがネットワークに侵入することを防止することができる。関連技術においては、ネットワークにおいて、通信デバイスがＳＳＩＤをブロードキャストし、端末デバイスがＳＳＩＤを受信した後、該ＳＳＩＤをネットワーク名称としてネットワークリストにおいて表示を行う。現在、設定したＳＳＩＤの多くのはアルファベットや数字で組み合わせてなり、ユーザは、黙認の名称、例えば、Ｄ−Ｌｉｎｋ、Ｌｉｎｋｓｙｓ、ＤＤ−ＷＲＴをＳＳＩＤと使用慣れていることで、同一の区域において同じ名称のネットワークが増加している。従って、あるユーザが中文文字を使用してＳＳＩＤを設定する。これによって、同一の区域においてネットワークの名称重複の蓋然率を低下することができるが、端末デバイスにおいて中文文字が含まれたＳＳＩＤを表示する場合、表示されたＳＳＩＤが文字化けを有する現象が生じてしまう。
【発明の概要】
【０００４】
関連技術に存在の問題を克服するために、本発明の実施例は、端末デバイスにおいて正常のＳＳＩＤを表示する蓋然率を増大できる無線ＬＡＮにおけるＳＳＩＤの配信方法、装置、プログラム及び記録媒体を提供した。
【０００５】
本発明の実施例の第一の局面によれば、無線ＬＡＮにおけるＳＳＩＤの配信方法を提供した。該方法は、
プリセットの複数種類のシステムのプラットフォームの文字符号化方式に従って、設定したＳＳＩＤを符号化して、前記複数種類のシステムのプラットフォームに適用するＳＳＩＤコードを生成し、
無線ＬＡＮにおいて、生成された前記複数種類のシステムのプラットフォームに適用するＳＳＩＤコードをブロードキャストすることを含む。
【０００６】
ある実施例において、前記プリセットの複数種類のシステムのプラットフォームの文字符号化方式に従って、設定したＳＳＩＤを符号化する前に、
設定したＳＳＩＤにおいて中文文字が含まれているかを判断することを更に含み、
前記プリセットの複数種類のシステムのプラットフォームの文字符号化方式に従って、設定したＳＳＩＤを符号化することは、
設定したＳＳＩＤにおいて中文文字が含まれている場合、プリセットの複数種類のシステムのプラットフォームの文字符号化方式に従って、前記ＳＳＩＤを符号化することを含む。
【０００７】
ある実施例において、前記方法は、
生成されたＳＳＩＤコードが複数である場合、ＳＳＩＤコード毎に、プリセットの統計パラメータに基づいて前記ＳＳＩＤコードを使用して無線ＬＡＮにアクセスするデバイスの統計を行い、
各ＳＳＩＤコードに対応する統計データを併合して、併合し得た統計データを前記ＳＳＩＤに対応する統計データとすることを更に含む。
【０００８】
ある実施例において、前記プリセットの複数種類のシステムのプラットフォームは、Ｗｉｎｄｏｗｓシステムのプラットフォームと、汎用文字符号化方式を使用するシステムのプラットフォームを含む場合、前記プリセットの複数種類のシステムのプラットフォームの文字符号化方式に従って、設定したＳＳＩＤを符号化して、前記複数種類のシステムのプラットフォームに適用するＳＳＩＤコードを生成することは、
Ｗｉｎｄｏｗｓシステムのプラットフォームの文字符号化方式及び汎用文字符号化方式をそれぞれ使用して前記ＳＳＩＤを符号化して、Ｗｉｎｄｏｗｓシステムのプラットフォームに適用する第一のＳＳＩＤコード及び汎用文字符号化方式を使用するシステムのプラットフォームに適用する第二のＳＳＩＤコードを生成することを更に含む。
【０００９】
ある実施例において、前記プリセットの統計パラメータは、アクセスデバイスの数及び／或はデータ流量を含む。
【００１０】
ある実施例において、前記無線ＬＡＮにおいて、生成された前記複数種類のシステムのプラットフォームに適用するＳＳＩＤコードをブロードキャストすることは、
無線ＬＡＮにおいて、端末デバイスがブロードキャストされた前記ＳＳＩＤコードに対応の文字符号化方式に基づいてローカル文字符号化方式に対応のＳＳＩＤコードを選択して表示を行うように、前記ＳＳＩＤコード及び前記ＳＳＩＤコードに対応の文字符号化方式をブロードキャストすることを含む。
【００１１】
本発明の実施例の第二の局面によれば、無線ＬＡＮにおけるＳＳＩＤの配信装置を提供した。該装置は、
プリセットの複数種類のシステムのプラットフォームの文字符号化方式に従って、設定したＳＳＩＤを符号化して、前記複数種類のシステムのプラットフォームに適用するＳＳＩＤコードを生成する符号化モジュールと、
無線ＬＡＮにおいて、生成された前記複数種類のシステムのプラットフォームに適用するＳＳＩＤコードをブロードキャストするブロードキャストモジュールとを備える。
【００１２】
ある実施例において、該装置は、
前記符号化モジュールがプリセットの複数種類のシステムのプラットフォームの文字符号化方式に従って、設定したＳＳＩＤを符号化する前に、設定したＳＳＩＤにおいて中文文字が含まれているかを判断する判断モジュールを更に備え、
前記符号化モジュールは、
設定したＳＳＩＤにおいて中文文字が含まれている場合、プリセットの複数種類のシステムのプラットフォームの文字符号化方式に従って、前記ＳＳＩＤを符号化する第一の符号化サブモジュールを備える。
【００１３】
ある実施例において、該装置は、
生成されたＳＳＩＤコードが複数である場合、ＳＳＩＤコード毎に、プリセットの統計パラメータに基づいて前記ＳＳＩＤコードを使用して無線ＬＡＮにアクセスするデバイスに対して統計を行う統計モジュールと、
各ＳＳＩＤコードに対応する統計データを併合して、併合し得た統計データを前記ＳＳＩＤに対応する統計データとする併合モジュールとを更に備える。
【００１４】
ある実施例において、前記プリセットの複数種類のシステムのプラットフォームがＷｉｎｄｏｗｓシステムのプラットフォーム及び汎用文字符号化方式を使用するシステムのプラットフォームを含む場合、前記符号化モジュールは、
Ｗｉｎｄｏｗｓシステムのプラットフォームの文字符号化方式及び汎用文字符号化方式をそれぞれ使用して前記ＳＳＩＤを符号化して、Ｗｉｎｄｏｗｓシステムのプラットフォームに適用する第一のＳＳＩＤコード、及び汎用文字符号化方式を使用するシステムのプラットフォームに適用する第二のＳＳＩＤコードを生成する第二の符号化サブモジュールを備える。
【００１５】
ある実施例において、前記ブロードキャストモジュールは、
無線ＬＡＮにおいて、ブロードキャストされた前記ＳＳＩＤコードに対応の文字符号化方式に基づいてローカル文字符号化方式に対応のＳＳＩＤコードを端末デバイスが選択して表示を行うように、前記ＳＳＩＤコード及び前記ＳＳＩＤコードに対応の文字符号化方式をブロードキャストするブロードキャストサブモジュールを備える。
【００１６】
本発明の実施例の第三の局面によれば、無線ＬＡＮにおけるＳＳＩＤの配信装置を提供した。該装置は、プロセッサと、プロセッサが実行可能なコマンドを記憶するメモリとを備え、
前記プロセッサは、
プリセットの複数種類のシステムのプラットフォームの文字符号化方式に従って、設定したＳＳＩＤを符号化して、前記複数種類のシステムのプラットフォームに適用するＳＳＩＤコードを生成し、
無線ＬＡＮにおいて、生成された前記複数種類のシステムのプラットフォームに適用するＳＳＩＤコードをブロードキャストするように構成される。
【００１７】
本発明のその他の局面は、
プロセッサに実行されることにより、前記方法を実現することを特徴とするプログラムを提供する。
【００１８】
本発明のその他の局面は、
前記プログラムが記録された記録媒体を提供する。
【００１９】
本発明の実施例が提供した技術案は、以下の有益効果を奏する。即ち、プリセットの複数種類のシステムのプラットフォームの文字符号化方式に従って、設定したＳＳＩＤを符号化して、無線ＬＡＮにおいて、生成されたＳＳＩＤコードをブロードキャストすることによって、端末デバイスが受信されたＳＳＩＤコードにおいてローカルデバイスが正常表示可能なＳＳＩＤコードを有する蓋然率を増大させるすることができ、端末デバイスにおいて正常のＳＳＩＤを表示する蓋然率を増大できる。
【００２０】
上記の説明および後述の詳細な説明は、単なる例示のみであり、本発明を限定するものではないことを理解すべきである。
【図面の簡単な説明】
【００２１】
ここでの図面は明細書に組み込まれて明細書の一部を構成し、本発明に適合する実施例を示し、明細書と共に本発明の原理の解釈に用いられる。
【００２２】
【図１】例示的な実施例で示す、無線ＬＡＮにおけるＳＳＩＤの配信方法のフローチャートである。
【００２３】
【図２】例示的な実施例で示す、その他の無線ＬＡＮにおけるＳＳＩＤの配信方法のフローチャートである。
【００２４】
【図３】例示的な実施例で示す、その他の無線ＬＡＮにおけるＳＳＩＤの配信方法のフローチャートである。
【００２５】
【図４】例示的な実施例で示す、無線ＬＡＮにおけるＳＳＩＤの配信方法のフローチャートである。
【００２６】
【図５】例示的な実施例で示す、無線ＬＡＮにおけるＳＳＩＤの配信装置のブロック図である。
【００２７】
【図６】例示的な実施例で示す、その他の無線ＬＡＮにおけるＳＳＩＤの配信装置のブロック図である。
【００２８】
【図７】例示的な実施例で示す、その他の無線ＬＡＮにおけるＳＳＩＤの配信装置のブロック図である。
【発明を実施するための形態】
【００２９】
ここで、図面に示された例示的な実施例を詳細に説明する。以下の記載において、図面を言及するとき、特に説明しない限り、異なる図面における同じ番号が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の局面と一致する装置及び方法の例にすぎない
【００３０】
図１は、例示的な実施例で示す、無線ＬＡＮにおけるＳＳＩＤの配信方法のフローチャートである。図１に示すように、該無線ＬＡＮにおけるＳＳＩＤの配信方法は、例えば、ルータ、無線アクセスポイント及び無線制御器のような通信デバイスに応用され、以下のステップＳ１０１−Ｓ１０２を含む。
【００３１】
ステップＳ１０１において、プリセットの複数種類のシステムのプラットフォームの文字符号化方式に従って、設定したＳＳＩＤを符号化（エンコード）して、複数種類のシステムのプラットフォームに適用するＳＳＩＤコードを生成する。
【００３２】
ステップＳ１０２において、無線ＬＡＮにおいて、生成された、複数種類のシステムのプラットフォームに適用するＳＳＩＤコードをブロードキャストする。
【００３３】
ある実施例において、プリセットの複数種類のシステムのプラットフォームがＷｉｎｄｏｗｓシステムのプラットフォーム及び汎用文字符号化方式を使用するシステムのプラットフォームを含む。例えば、マイクロソフト社が生産した端末デバイスにおいて、Ｗｉｎｄｏｗｓシステムのプラットフォームの文字符号化方式を使用し、その他のアンドロイド（Ａｎｄｒｏｉｄ）システムのプラットフォーム及びアップルシステムのプラットフォームにおいて汎用文字符号化方式を使用している。
【００３４】
上述のステップＳ１０１は、Ｗｉｎｄｏｗｓシステムのプラットフォームの文字符号化方式及び汎用文字符号化方式をそれぞれ使用してＳＳＩＤを符号化して、第一のＳＳＩＤコード及び第二のＳＳＩＤコードを生成する。第一のＳＳＩＤコードがＷｉｎｄｏｗｓシステムのプラットフォームに適用するが、第二のＳＳＩＤコードが汎用文字符号化方式を使用するシステムのプラットフォームに適用する。即ち、第二のＳＳＩＤコードは、アップルシステムのプラットフォーム及びアンドロイドシステムのプラットフォームに適用する。
【００３５】
上述ステップＳ１０２において、無線ＬＡＮにおいて第一のＳＳＩＤコード及び第二のＳＳＩＤコードをブロードキャストする。端末デバイスは、第一のＳＳＩＤコード及び第二のＳＳＩＤコードを受信した後に表示を行う。端末デバイスがＷｉｎｄｏｗｓシステムのプラットフォームを使用するデバイスである場合、第一のＳＳＩＤコードを正常に表示できるが、端末デバイスがアップルシステムのプラットフォーム或はアンドロイドシステムのプラットフォームを使用するデバイスである場合、第二のＳＳＩＤコードを正常に表示できる。このように、端末デバイスにおいて常にＳＳＩＤを正常に表示できる。
【００３６】
ある実施例において、ステップＳ１０２は、無線ＬＡＮにおいて、ブロードキャストされたＳＳＩＤコードに対応の文字符号化方式に基づいてローカル文字符号化方式に対応のＳＳＩＤコードを端末デバイスが選択して表示を行うように、生成されたＳＳＩＤコード及び該ＳＳＩＤコードに対応の文字符号化方式をブロードキャストする。
【００３７】
例を挙げて説明する。ステップＳ１０１において、Ｗｉｎｄｏｗｓシステムのプラットフォームの文字符号化方式及び汎用文字符号化方式コードＳＳＩＤをそれぞれ使用して、第一のＳＳＩＤコード及び第二のＳＳＩＤコードを生成する。第一のＳＳＩＤコードが、Ｗｉｎｄｏｗｓシステムのプラットフォームに適用し、第二のＳＳＩＤコードが、汎用文字符号化方式を使用するシステムのプラットフォームに適用する。
【００３８】
ステップＳ１０２において、第一のＳＳＩＤコード及び対応のＷｉｎｄｏｗｓシステムのプラットフォームの文字符号化方式と、第二のＳＳＩＤコード及び対応の汎用文字符号化方式とをブロードキャストする。例えば、実現の時、ＳＳＩＤコードをブロードキャストするメッセージにおいて区域を増加して、増加の区域においてＳＳＩＤコードに対応の文字符号化方式を追加しても良い。
【００３９】
このように、端末デバイスがＳＳＩＤコードに対応の文字符号化方式を受信した後、ブロードキャストされた文字符号化方式に基づいて、ローカル文字符号化方式に対応のＳＳＩＤコードを選択して表示を行うことができる。例えば、端末デバイスがアンドロイドシステムのプラットフォームを使用する場合、端末デバイスは、汎用文字符号化方式に対応の第二のＳＳＩＤコードを選択して表示を行い、第一のＳＳＩＤコードを表示しないため、端末において文字化けを有するＳＳＩＤの表示を回避できる。
【００４０】
本実施例が提供した技術案は、以下の有益効果を奏する。即ち、プリセットの複数種類のシステムのプラットフォームの文字符号化方式に従って、設定したＳＳＩＤを符号化して、無線ＬＡＮにおいて、生成されたＳＳＩＤコードをブロードキャストすることによって、端末デバイスが受信したＳＳＩＤコードにおいてローカルデバイスが正常に表示可能なＳＳＩＤコードを有する蓋然率を増大させることによって、端末デバイスにおいて正常のＳＳＩＤを表示する蓋然率を増大できる。
【００４１】
図２は、例示的な実施例で示す、その他の無線ＬＡＮにおけるＳＳＩＤの配信方法のフローチャートである。図２に示すように、該無線ＬＡＮにおけるＳＳＩＤの配信方法は、例えば、ルータ、無線アクセスポイント及び無線制御器のよな通信デバイスに応用でき、以下のステップＳ２０１−Ｓ２０３を含む。
【００４２】
ステップＳ２０１において、設定したＳＳＩＤにおいて中文文字が含まれているかを判断する。
【００４３】
ステップＳ２０２において、設定したＳＳＩＤにおいて中文文字が含まれている場合、プリセットの複数種類のシステムのプラットフォームの文字符号化方式に従ってＳＳＩＤを符号化して、複数種類のシステムのプラットフォームに適用するＳＳＩＤコードを生成する。
【００４４】
ステップＳ２０３においては、無線ＬＡＮにおいて、生成された、複数種類のシステムのプラットフォームに適用するＳＳＩＤコードをブロードキャストする。
【００４５】
ステップＳ２０２及びステップＳ２０３の示例性の説明については、上述ステップＳ１０１及びステップＳ１０２における説明を参照すれば良いので、ここでその説明を省略した。
【００４６】
本実施例が提供した技術案は、以下の有益効果を奏する。大多数の場合、端末デバイスにおいてＳＳＩＤを表示する時に文字化けの発生の原因は、ＳＳＩＤにおいて中文文字が含まれていることである。本実施例において、設定したＳＳＩＤにおいて中文文字が含まれたことを判断した場合、プリセットの複数種類のシステムのプラットフォームの文字符号化方式に従って、設定したＳＳＩＤを符号化して、無線ＬＡＮにおいて生成されたＳＳＩＤコードをブロードキャストする。これによって、端末デバイスにおいて正常にＳＳＩＤを表示する蓋然率を増大することができると共に、ＳＳＩＤにおいて中文文字が含まれていない場合、複数ＳＳＩＤコードのブロードキャストを回避でき、ネットワークリソースも節約できる。
【００４７】
図３は、例示的な実施例で示す、その他の無線ＬＡＮにおけるＳＳＩＤの配信方法のフローチャートである。図３に示すように、該無線ＬＡＮにおけるＳＳＩＤの配信方法は、例えばルータ、無線アクセスポイント及び無線制御器のような通信デバイスに用いされ、以下のステップＳ３０１−Ｓ３０４を含む。
【００４８】
ステップＳ３０１において、プリセットの複数種類のシステムのプラットフォームの文字符号化方式に従って、設定したＳＳＩＤを符号化して、複数種類のシステムのプラットフォームに適用するＳＳＩＤコードを生成する。
【００４９】
ステップＳ３０２においては、無線ＬＡＮにおいて、生成された、複数種類のシステムのプラットフォームに適用するＳＳＩＤコードをブロードキャストする。
【００５０】
ステップＳ３０１及びステップＳ３０２の示例性の説明については、上述ステップＳ１０１及びステップＳ１０２における説明を参照すれば良いので、ここでその説明を省略した。
【００５１】
ステップＳ３０３において、生成されたＳＳＩＤコードが複数である場合、ＳＳＩＤコード毎に、プリセットの統計パラメータに基づいて該ＳＳＩＤコードを使用して無線ＬＡＮにアクセスするデバイスに対して統計を行う。
【００５２】
ここで、プリセットの統計パラメータは、アクセスデバイスの数及びデータ流量を含む。
【００５３】
ステップＳ３０４において、各ＳＳＩＤコードに対応する統計データを併合して、併合し得た統計データをＳＳＩＤに対応の統計データとする。
【００５４】
例を挙げて説明する。ステップＳ３０１において、Ｗｉｎｄｏｗｓシステムのプラットフォームの文字符号化方式及び汎用文字符号化方式コードＳＳＩＤをそれぞれ使用して、第一のＳＳＩＤコード及び第二のＳＳＩＤコードを生成する。ここで、第一のＳＳＩＤコードがＷｉｎｄｏｗｓシステムのプラットフォームに適用するが、第二のＳＳＩＤコードが汎用文字符号化方式を使用するシステムのプラットフォームに適用する。ステップＳ３０３において、第一のＳＳＩＤコード及び第二のＳＳＩＤコードを使用して無線ＬＡＮにアクセスするデバイスの数及びデータ流量をそれぞれ統計する。ステップＳ３０４において、第一のＳＳＩＤコード及び第二のＳＳＩＤコードに対応のデバイスの数を併合して、第一のＳＳＩＤコード及び第二のＳＳＩＤコードに対応のデータ流量を併合する。ステップＳ３０４において、併合後のデバイスの数をＳＳＩＤに対応のネットワークにアクセスするデバイスの数とし、併合後のデータ流量をＳＳＩＤに対応のデータ流量とする。
【００５５】
本実施例が提供した技術案は、以下の有益効果を奏する。各ＳＳＩＤコードに対してそれぞれ統計し、統計データを併合することによって、ＳＳＩＤに対応のサブネットワークにおける統計データを正確的に獲得でき、後継操作において統計データを用いてサブネットワークを制御するのに便利となる。
【００５６】
図４は、例示的な実施例で示す、無線ＬＡＮにおけるＳＳＩＤの配信方法のフローチャートである。実施例において、その方法は、以下のシーンに応用される。即ち、ルータが無線ＬＡＮにおいてユーザによって設定したＳＳＩＤをブロードキャストし、ＳＳＩＤが「我的ＷＩＦＩ」であり、中文文字が含まれており、プリセットの複数種類のシステムのプラットフォームは、Ｗｉｎｄｏｗｓシステムのプラットフォーム及び汎用文字符号化方式を使用するシステムのプラットフォームを含み、統計パラメータをデータ流量とプリセットする。図４に示すように、実施例における方法は、以下のステップを含む。
【００５７】
ステップＳ４０１において、設定したＳＳＩＤにおいて中文文字が含まれているかを判断する。
【００５８】
例えば、ＳＳＩＤ「我的ＷＩＦＩ」において中文文字が含まれていることを判断した。
【００５９】
ステップＳ４０２において、設定したＳＳＩＤにおいて中文文字が含まれている場合、Ｗｉｎｄｏｗｓシステムのプラットフォームの文字符号化方式及び汎用文字符号化方式をそれぞれ使用してＳＳＩＤを符号化して、第一のＳＳＩＤコード及び第二のＳＳＩＤコードを生成する。
【００６０】
ここで、第一のＳＳＩＤコードがＷｉｎｄｏｗｓシステムのプラットフォームに適用するが、第二のＳＳＩＤコードが汎用文字符号化方式を使用するシステムのプラットフォームに適用する。
【００６１】
ステップＳ４０３においては、無線ＬＡＮにおいて、生成された第一のＳＳＩＤコード及び対応のＷｉｎｄｏｗｓシステムのプラットフォームの文字符号化方式と、第二のＳＳＩＤコード及び対応の汎用文字符号化方式をブロードキャストする。
【００６２】
このように、端末デバイスＡは、Ｗｉｎｄｏｗｓシステムのプラットフォームを使用し、第一のＳＳＩＤコード及び第二のＳＳＩＤコードを受信し、使用された文字符号化方式がローカルデバイスの使用する文字符号化方式と同じである第一のＳＳＩＤコードを選択して表示を行う。端末デバイスＡにおいて表示される第一のＳＳＩＤコードが正常で文字化けはない。端末デバイスＢは、アンドロイドシステムのプラットフォームを使用し、第一のＳＳＩＤコード及び第二のＳＳＩＤコードを受信し、使用された文字符号化方式がローカルデバイスの使用する文字符号化方式と同じである第二のＳＳＩＤコードを選択して表示を行う。端末デバイスＢにおいて表示される第二のＳＳＩＤコードが正常で文字化けはない。
【００６３】
ステップＳ４０４において、第一のＳＳＩＤコード及び第二のＳＳＩＤコードを使用して無線ＬＡＮにアクセスするデバイスのデータ流量をそれぞれ統計する。
【００６４】
ステップＳ４０５において、第一のＳＳＩＤコード及び第二のＳＳＩＤコードに対応のデータ流量を併合し、併合し得たデータ流量をＳＳＩＤに対応のデータ流量とする。
【００６５】
例えば、端末デバイスＡは、第一のＳＳＩＤコードを使用して無線ＬＡＮにアクセスし、端末デバイスＢは、第二のＳＳＩＤコードを使用して無線ＬＡＮから受信する。端末デバイスＡのデータ流量に対して統計を行い、端末デバイスＢのデータ流量に対して統計を行い、端末デバイスＡ及び端末デバイスＢのデータ流量を併合して、併合後のデータ流量をＳＳＩＤに対応のデータ流量とする。
【００６６】
本実施例が提供した技術案は、以下の有益効果を奏する。即ち、プリセットの複数種類のシステムのプラットフォームの文字符号化方式に従って、設定したＳＳＩＤを符号化して、無線ＬＡＮにおいて、生成されたＳＳＩＤコードをブロードキャストすることにより、端末デバイスが受信したＳＳＩＤコードにおいてローカルデバイスが正常に表示できるＳＳＩＤコードを有する蓋然率を増大できる。これによって、端末デバイスにおいて正常のＳＳＩＤを表示する蓋然率を増大できる。各ＳＳＩＤコードに対してそれぞれ統計を行い、統計データを併合することにより、ＳＳＩＤに対応のサブネットワークにおける統計データを正確的に獲得でき、後継操作において統計データを用いてサブネットワークを制御するのに便利となる。
【００６７】
図５は、例示的な実施例で示す、無線ＬＡＮにおけるＳＳＩＤの配信装置のブロック図である。図５に示すように、該無線ＬＡＮにおけるＳＳＩＤの配信装置は、例えばルータ、無線アクセスポイント及び無線制御器のような通信デバイスに応用され、符号化モジュール５１と、ブロードキャストモジュール５２とを備える。
【００６８】
符号化モジュール５１は、プリセットの複数種類のシステムのプラットフォームの文字符号化方式に従って、設定したＳＳＩＤを符号化して、複数種類のシステムのプラットフォームに適用するＳＳＩＤコードを生成する。
【００６９】
ブロードキャストモジュール５２は、無線ＬＡＮにおいて、生成された、複数種類のシステムのプラットフォームに適用するＳＳＩＤコードをブロードキャストする。
【００７０】
ある実施例において、図６に示すように、該装置は、
符号化モジュール５１がプリセットの複数種類のシステムのプラットフォームの文字符号化方式に従って、設定したＳＳＩＤを符号化する前、設定したＳＳＩＤにおいて中文文字が含まれているかを判断する判断モジュール６１を更に備えても良い。
【００７１】
符号化モジュール５１は、
設定したＳＳＩＤにおいて中文文字が含まれている場合、プリセットの複数種類のシステムのプラットフォームの文字符号化方式に従って、ＳＳＩＤを符号化する第一の符号化サブモジュール６２を備えても良い。
【００７２】
実施例において、図７に示すように、装置は、
生成されたＳＳＩＤコードが複数である場合、ＳＳＩＤコード毎に、プリセットの統計パラメータに基づいて、ＳＳＩＤコードを使用して無線ＬＡＮにアクセスするデバイスに対して統計を行う統計モジュール７１と、
各ＳＳＩＤコードに対応する統計データを併合し、併合し得た統計データをＳＳＩＤに対応の統計データとする併合モジュール７２とを更に備えても良い。
【００７３】
ある実施例において、プリセットの複数種類のシステムのプラットフォームは、Ｗｉｎｄｏｗｓシステムのプラットフォーム及び汎用文字符号化方式を使用するシステムのプラットフォームを含む場合、符号化モジュールは、
Ｗｉｎｄｏｗｓシステムのプラットフォームの文字符号化方式及び汎用文字符号化方式をそれぞれ使用してＳＳＩＤを符号化して、第一のＳＳＩＤコード及び第二のＳＳＩＤコードを生成する第二の符号化サブモジュールを備えて良い。
【００７４】
ここで、第一のＳＳＩＤコードがＷｉｎｄｏｗｓシステムのプラットフォームに適用し、第二のＳＳＩＤコードが汎用文字符号化方式を使用するシステムのプラットフォームに適用する。
【００７５】
ある実施例において、プリセットの統計パラメータは、アクセスデバイスの数及び／或はデータ流量を含む。
【００７６】
ある実施例において、ブロードキャストモジュールは、
無線ＬＡＮにおいて、ＳＳＩＤコード及びＳＳＩＤコードに対応の文字符号化方式をブロードキャストすることで、端末デバイスがブロードキャストされたＳＳＩＤコードに対応の文字符号化方式に基づいて、ローカル文字符号化方式に対応のＳＳＩＤコードを選択して表示を行う、ブロードキャストサブモジュールを備えて良い。
【００７７】
本発明の実施例が提供した技術案は、以下の有益効果を奏する。即ち、プリセットの複数種類のシステムのプラットフォームの文字符号化方式に従って、設定したＳＳＩＤを符号化して、無線ＬＡＮにおいて、生成されたＳＳＩＤコードをブロードキャストすることによって、端末デバイスが受信したＳＳＩＤコードにおいてローカルデバイスが正常に表示できるＳＳＩＤコードを有する蓋然率を増大できる。これによって、端末デバイスにおいて正常のＳＳＩＤを表示する蓋然率を増大できる。
【００７８】
上述実施例における装置について、各モジュールの操作実行の具体方式が該方法の実施例において詳細に描写したので、ここで、詳細な記載を説明しない。
【００７９】
無線ＬＡＮにおけるＳＳＩＤの配信装置は、プロセッサと、プロセッサが実行可能なコマンドを記憶するメモリとを備え、プロセッサは、プリセットの複数種類のシステムのプラットフォームの文字符号化方式に従って、設定したＳＳＩＤを符号化して、複数種類のシステムのプラットフォームに適用するＳＳＩＤコードを生成し、無線ＬＡＮにおいて、生成された前記複数種類のシステムのプラットフォームに適用するＳＳＩＤコードをブロードキャストする。
【００８０】
該プロセッサは、プリセットの複数種類のシステムのプラットフォームの文字符号化方式に従って、設定したＳＳＩＤを符号化する前、設定したＳＳＩＤにおいて中文文字が含まれているかを判断し、設定したＳＳＩＤにおいて中文文字が含まれている場合、プリセットの複数種類のシステムのプラットフォームの文字符号化方式に従って、前記ＳＳＩＤを符号化するように構成される。
【００８１】
該プロセッサは、生成されたＳＳＩＤコードが複数である場合、ＳＳＩＤコード毎に、プリセットの統計パラメータに基づいて前記ＳＳＩＤコードを使用して無線ＬＡＮにアクセスするデバイスの統計を行い、各ＳＳＩＤコードに対応する統計データを併合して、併合し得た統計データを前記ＳＳＩＤに対応する統計データとするように構成される。
【００８２】
該プロセッサは、プリセットの複数種類のシステムのプラットフォームがＷｉｎｄｏｗｓシステムのプラットフォーム及び汎用文字符号化方式を使用するシステムのプラットフォームを含む場合、Ｗｉｎｄｏｗｓシステムのプラットフォームの文字符号化方式及び汎用文字符号化方式をそれぞれ使用して前記ＳＳＩＤを符号化して、第一のＳＳＩＤコード及び第二のＳＳＩＤコードを生成し、前記第一のＳＳＩＤコードがＷｉｎｄｏｗｓシステムのプラットフォームに適用し、前記第二のＳＳＩＤコードが汎用文字符号化方式を使用するシステムのプラットフォームに適用するように構成される。
【００８３】
該プロセッサは、無線ＬＡＮにおいて、端末デバイスがブロードキャストされた前記ＳＳＩＤコードに対応の文字符号化方式に基づいてローカル文字符号化方式に対応のＳＳＩＤコードを選択して表示を行うように、前記ＳＳＩＤコード及び前記ＳＳＩＤコードに対応の文字符号化方式をブロードキャストする。
【００８４】
非揮発的なコンピュータで読み取り可能な記憶媒体について、前記記憶媒体におけるコマンドがルータのプロセッサによって実行される場合、ルータに無線ＬＡＮにおけるＳＳＩＤの配信方法を実行できるようにする。前記方法は、
プリセットの複数種類のシステムのプラットフォームの文字符号化方式に従って、設定したＳＳＩＤを符号化して、前記複数種類のシステムのプラットフォームに適用するＳＳＩＤコードを生成し、
無線ＬＡＮにおいて、生成された前記複数種類のシステムのプラットフォームに適用するＳＳＩＤコードをブロードキャストすることを含む。
【００８５】
前記方法は、前記プリセットの複数種類のシステムのプラットフォームの文字符号化方式に従って、設定したＳＳＩＤを符号化する前に、設定したＳＳＩＤにおいて中文文字が含まれているかを判断することをさらに含み、
前記プリセットの複数種類のシステムのプラットフォームの文字符号化方式に従って、設定したＳＳＩＤを符号化することは、
設定したＳＳＩＤにおいて中文文字が含まれている場合、プリセットの複数種類のシステムのプラットフォームの文字符号化方式に従って、前記ＳＳＩＤを符号化することを含む。
【００８６】
前記方法は、生成されたＳＳＩＤコードが複数である場合、ＳＳＩＤコード毎に、プリセットの統計パラメータに基づいて、前記ＳＳＩＤコードを使用して無線ＬＡＮにアクセスするデバイスに対して統計を行い、
各ＳＳＩＤコードに対応するの統計データを併合して、併合し得た統計データを前記ＳＳＩＤに対応する統計データとすることを含む。
【００８７】
前記プリセットの複数種類のシステムのプラットフォームは、Ｗｉｎｄｏｗｓシステムのプラットフォーム及び汎用文字符号化方式を使用するシステムのプラットフォームを含む。
【００８８】
前記プリセットの複数種類のシステムのプラットフォームの文字符号化方式に従って、設定したＳＳＩＤを符号化して、前記複数種類のシステムのプラットフォームに適用するＳＳＩＤコードを生成することは、
Ｗｉｎｄｏｗｓシステムのプラットフォームの文字符号化方式及び汎用文字符号化方式をそれぞれ使用して前記ＳＳＩＤを符号化して、第一のＳＳＩＤコード及び第二のＳＳＩＤコードを生成することを含み、
ここで、前記第一のＳＳＩＤコードがＷｉｎｄｏｗｓシステムのプラットフォームに適用し、前記第二のＳＳＩＤコードが汎用文字符号化方式を使用するシステムのプラットフォームに適用する。
【００８９】
前記プリセットの統計パラメータは、アクセスデバイスの数及び／或はデータ流量を含んで良い。
【００９０】
前記無線ＬＡＮにおいて、生成された前記複数種類のシステムのプラットフォームに適用するＳＳＩＤコードをブロードキャストすることは、
無線ＬＡＮにおいて、前記ＳＳＩＤコード及び前記ＳＳＩＤコードに対応の文字符号化方式をブロードキャストすることで、端末デバイスがブロードキャストされた前記ＳＳＩＤコードに対応の文字符号化方式に基づいてローカル文字符号化方式に対応のＳＳＩＤコードを選択して表示を行うことを含む。
【００９１】
当業者は、本明細書に開示された発明の詳細を考慮し、実施することにより、本発明の他の実施案を容易に想到できる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【００９２】
本発明は、上記において開示された構成又は図面に示した構造に限定されるものではなく、本発明の範囲内であれば、様々な補正又は変更を行うことができると理解すべきである。本発明の範囲は、特許請求の範囲により制限される。
【手続補正２】
【補正対象書類名】特許請求の範囲
【補正対象項目名】全文
【補正方法】変更
【補正の内容】
【特許請求の範囲】
【請求項１】
無線ＬＡＮにおけるＳＳＩＤの配信方法であって、
プリセットの複数種類のシステムのプラットフォームの文字符号化方式に従って、設定したＳＳＩＤを符号化して、前記複数種類のシステムのプラットフォームに適用するＳＳＩＤコードを生成し、
無線ＬＡＮにおいて、生成された前記複数種類のシステムのプラットフォームに適用するＳＳＩＤコードをブロードキャストすることを含むことを特徴する無線ＬＡＮにおけるＳＳＩＤの配信方法。
【請求項２】
前記プリセットの複数種類のシステムのプラットフォームの文字符号化方式に従って、設定したＳＳＩＤを符号化する前に、
設定したＳＳＩＤにおいて中文文字が含まれているかを判断することを更に含み、
前記プリセットの複数種類のシステムのプラットフォームの文字符号化方式に従って、設定したＳＳＩＤを符号化することは、
設定したＳＳＩＤにおいて中文文字が含まれている場合、プリセットの複数種類のシステムのプラットフォームの文字符号化方式に従って、前記ＳＳＩＤを符号化することを含むことを特徴する請求項１に記載の無線ＬＡＮにおけるＳＳＩＤの配信方法。
【請求項３】
生成されたＳＳＩＤコードが複数である場合、ＳＳＩＤコード毎に、プリセットの統計パラメータに基づいて、前記ＳＳＩＤコードを使用して無線ＬＡＮにアクセスするデバイスの統計を行い、
各ＳＳＩＤコードに対応する統計データを併合して、併合し得た統計データを、前記ＳＳＩＤに対応する統計データとすることを更に含むことを特徴する請求項１に記載の無線ＬＡＮにおけるＳＳＩＤの配信方法。
【請求項４】
前記プリセットの複数種類のシステムのプラットフォームは、Ｗｉｎｄｏｗｓシステムのプラットフォームと、汎用文字符号化方式を使用するシステムのプラットフォームを含む場合、前記プリセットの複数種類のシステムのプラットフォームの文字符号化方式に従って、設定したＳＳＩＤを符号化して、前記複数種類のシステムのプラットフォームに適用するＳＳＩＤコードを生成することは、
Ｗｉｎｄｏｗｓシステムのプラットフォームの文字符号化方式及び汎用文字符号化方式をそれぞれ使用して前記ＳＳＩＤを符号化して、Ｗｉｎｄｏｗｓシステムのプラットフォームに適用する第一のＳＳＩＤコード及び汎用文字符号化方式を使用するシステムのプラットフォームに適用する第二のＳＳＩＤコードを生成することを更に含むことを特徴する請求項１に記載の無線ＬＡＮにおけるＳＳＩＤの配信方法。
【請求項５】
前記プリセットの統計パラメータは、アクセスデバイスの数及び／或はデータ流量を含むことを特徴する請求項３に記載のＳＳＩＤの配信方法。
【請求項６】
前記無線ＬＡＮにおいて、生成された前記複数種類のシステムのプラットフォームに適用するＳＳＩＤコードをブロードキャストすることは、
無線ＬＡＮにおいて、前記ＳＳＩＤコード及び前記ＳＳＩＤコードに対応の文字符号化方式をブロードキャストすることで、ブロードキャストされた前記ＳＳＩＤコードに対応の文字符号化方式に基づいてローカル文字符号化方式に対応のＳＳＩＤコードを端末デバイスが選択して表示を行うことを含むことを特徴する請求項１に記載の無線ＬＡＮにおけるＳＳＩＤの配信方法。
【請求項７】
プリセットの複数種類のシステムのプラットフォームの文字符号化方式に従って、設定したＳＳＩＤを符号化して、前記複数種類のシステムのプラットフォームに適用するＳＳＩＤコードを生成する符号化モジュールと、
無線ＬＡＮにおいて、生成された前記複数種類のシステムのプラットフォームに適用するＳＳＩＤコードをブロードキャストするブロードキャストモジュールとを備えることを特徴する無線ＬＡＮにおけるＳＳＩＤの配信装置。
【請求項８】
前記符号化モジュールがプリセットの複数種類のシステムのプラットフォームの文字符号化方式に従って、設定したＳＳＩＤを符号化する前に、設定したＳＳＩＤにおいて中文文字が含まれているかを判断する判断モジュールを更に備え、
前記符号化モジュールは、
設定したＳＳＩＤにおいて中文文字が含まれている場合、プリセットの複数種類のシステムのプラットフォームの文字符号化方式に従って、前記ＳＳＩＤを符号化する第一の符号化サブモジュールを備えることを特徴する請求項７に記載の無線ＬＡＮにおけるＳＳＩＤの配信装置。
【請求項９】
生成されたＳＳＩＤコードが複数である場合、ＳＳＩＤコード毎に、プリセットの統計パラメータに基づいて前記ＳＳＩＤコードを使用して無線ＬＡＮにアクセスするデバイスに対して統計を行う統計モジュールと、
各ＳＳＩＤコードに対応する統計データを併合して、併合し得た統計データを前記ＳＳＩＤに対応する統計データとする併合モジュールとを更に備えることを特徴する請求項７に記載の無線ＬＡＮにおけるＳＳＩＤの配信装置。
【請求項１０】
前記プリセットの複数種類のシステムのプラットフォームがＷｉｎｄｏｗｓシステムのプラットフォーム及び汎用文字符号化方式を使用するシステムのプラットフォームを含む場合、前記符号化モジュールは、
Ｗｉｎｄｏｗｓシステムのプラットフォームの文字符号化方式及び汎用文字符号化方式をそれぞれ使用して前記ＳＳＩＤを符号化して、Ｗｉｎｄｏｗｓシステムのプラットフォームに適用する第一のＳＳＩＤコード、及び汎用文字符号化方式を使用するシステムのプラットフォームに適用する第二のＳＳＩＤコードを生成する第二の符号化サブモジュールを備えることを特徴する請求項７に記載の無線ＬＡＮにおけるＳＳＩＤの配信装置。
【請求項１１】
前記ブロードキャストモジュールは、
無線ＬＡＮにおいて、前記ＳＳＩＤコード及び前記ＳＳＩＤコードに対応の文字符号化方式をブロードキャストすることで、ブロードキャストされた前記ＳＳＩＤコードに対応の文字符号化方式に基づいてローカル文字符号化方式に対応のＳＳＩＤコードを端末デバイスが選択して表示を行うブロードキャストサブモジュールを備えることを特徴する請求項７に記載の無線ＬＡＮにおけるＳＳＩＤの配信装置。
【請求項１２】
プロセッサと、
プロセッサが実行可能なコマンドを記憶するメモリとを備え、
前記プロセッサは、
プリセットの複数種類のシステムのプラットフォームの文字符号化方式に従って、設定したＳＳＩＤを符号化して、前記複数種類のシステムのプラットフォームに適用するＳＳＩＤコードを生成し、
無線ＬＡＮにおいて、生成された前記複数種類のシステムのプラットフォームに適用するＳＳＩＤコードをブロードキャストするように構成されることを特徴とする無線ＬＡＮにおけるＳＳＩＤの配信装置。
【請求項１３】
プロセッサに実行されることにより、請求項１から請求項６のいずれかに記載の配信方法を実現することを特徴とするプログラム。
【請求項１４】
請求項１３に記載のプログラムが記録された記録媒体。
【国際調査報告】
2017504278.tif 000010
2017504278.tif 000011
2017504278.tif 000012
2017504278.tif 000013